(57)【特許請求の範囲】
【請求項１】
３−アミノキノリンイオンとｐ−クマル酸イオンとを含むイオン液体である、糖ペプチド又は糖タンパク質の質量分析用液体マトリックスであって、
３−アミノキノリンとｐ−クマル酸とを５：１〜２０：１のモル比で混合して調製したものであり、
前記混合されるべきｐ−クマル酸が９９％以上の純度を有するものであり、
リン酸アンモニウムを添加剤として用いる液体マトリックス。
【請求項２】
酸性糖を含む糖ペプチド又は糖タンパク質を測定するために用いられる、請求項１に記載の液体マトリックス。
【請求項３】
前記酸性糖がシアル酸である、請求項２に記載の液体マトリックス。
【発明の詳細な説明】
【技術分野】
【０００１】
本発明は、医療、製薬、及びライフサイエンス分野に属する。本発明は、ＭＡＬＤＩ−ＭＳ（マトリックス支援レーザー脱離イオン化質量分析）アプリケーションに関する。より具体的には、本発明は、質量分析における糖ペプチド用又は糖タンパク質用液体マトリックスに関する。
【背景技術】
【０００２】
特開２００８−２６１８２４号公報（特許文献１）に、アミン（１，１，３，３−テトラメチルグアニジン）のイオンとｐ−クマル酸のイオンとを含むイオン液体（TMG/CA）をマトリックスとして用い、糖鎖を分析対象としたＭＡＬＤＩ質量分析を行うことが記載されている。
【０００３】
特開２００９−２５７８４４号公報には、ペプチド用液体マトリックスである3-AQ/CHCA（３−アミノキノリンイオンとα−シアノ−４−ヒドロキシケイ皮酸とを含むイオン液体）と、糖鎖用液体マトリックスであるTMG/CA（１，１，３，３−テトラメチルグアニジンイオンとｐ−クマル酸イオンとを含むイオン液体）とを互いに混合して調製した混合液体マトリックスを用い、ペプチドと糖鎖との混合試料又はペプチドと糖ペプチドとの混合試料を分析対象としたＭＡＬＤＩ質量分析を行うことが記載されている。より具体的には、ターゲットプレート上に前記の混合液体マトリックスと前記の混合試料との混合液滴を調製し、溶媒を除去するとともに、3-AQ/CHCAとTMG/CAとが分離して局在化した質量分析用スポットを形成し、スポットの中心部に局在したエリアにおいては3-AQ/CHCAによってイオン化されたペプチドを検出する一方、同じスポットの別の箇所である辺縁部に局在したエリアにおいてはTMG/CAによってイオン化された糖鎖又は糖ペプチドを検出することが記載されている。
【先行技術文献】
【特許文献】
【０００４】
【特許文献１】特開２００８−２６１８２４号公報
【特許文献２】特開２００９−２５７８４４号公報
【発明の概要】
【発明が解決しようとする課題】
【０００５】
翻訳後修飾（post-translational modification (PTM)）、とりわけ疾患関連炭化水素の質量分析法の改善が大いに望まれている。しかしながら、糖ペプチドに適当なマトリックスが不足しており、従来のマトリックスを用いた方法では糖ペプチドの分析感度が低いという問題がある。
本発明の目的は、糖ペプチド又は糖タンパク質を感度良く分析することができる質量分析用マトリックスを提供することにある。
【課題を解決するための手段】
【０００６】
本発明者らは、鋭意検討の結果、３−アミノキノリンイオンとｐ−クマル酸イオンとを含むイオン液体が上記本発明の目的を達成し、且つシアル酸の脱離を抑制するという予期せぬ効果を生じさせることを見出し、本発明を完成するに至った。
【０００７】
本発明は、以下の発明を含む。
（１）  ３−アミノキノリンイオンとｐ−クマル酸イオンとを含むイオン液体である、糖ペプチド又は糖タンパク質の質量分析用液体マトリックスであって、
３−アミノキノリンとｐ−クマル酸とを５：１〜２０：１のモル比で混合して調製したものであり、
前記混合されるべきｐ−クマル酸が９９％以上の純度を有するものであり、
リン酸アンモニウムを添加剤として用いる液体マトリックス。
（２）  酸性糖を含む糖ペプチド又は糖タンパク質を測定するために用いられる、（１）に記載の液体マトリックス。
（３）  前記酸性糖がシアル酸である、（２）に記載の液体マトリックス。
【発明の効果】
【０００８】
本発明により、糖ペプチド及び糖タンパク質を感度良く分析することができる質量分析用マトリックスを提供することができる。
本発明により、シアル酸などの酸性糖を含む糖ペプチド及び糖タンパク質の分析において、酸性部位の脱落を抑制することができる。
【図面の簡単な説明】
【０００９】
【図１】実施例で測定対象として用いた糖ペプチドＧＰ１の構造を示す。
【図２】参考例３で得られた、3-AQ/CHCAを用いた場合のGP1の多段階質量分析によるマススペクトル（ポジティブモード）を示す。
【図３】実施例１で得られた、本発明の液体マトリックス3-AQ/CAを用いた場合のGP1のマススペクトル（ポジティブモード及びネガティブモード）を、DHBを用いた場合と比較して示す。
【図４】実施例３で得られた、本発明の液体マトリックス3-AQ/pCAを用いた場合のGP1（10amol）のマススペクトル（ネガティブモード）を示す。
【図５】実施例３で得られた、本発明の液体マトリックス3-AQ/pCAを用いた場合のGP1（10fmol）のマススペクトル（ポジティブモード及びネガティブモード）を、DHBを用いた場合と比較して示す。
【発明を実施するための形態】
【００１０】
［１．液体マトリックス］
本発明は、質量分析用マトリックスとしてのイオン液体（すなわち液体マトリックス）である。イオン液体は、室温で液体の状態で存在し、その実態は塩である物質をいう。具体的には、アミンのイオンと酸性基含有物質のイオンとからなるものが挙げられる。本発明における液体マトリックスは、３−アミノキノリンイオンとｐ−クマル酸イオンとを含むイオン液体（３−ＡＱ/ＣＡ）である。
【００１１】
［２．測定対象］
本発明の液体マトリックスは、糖ペプチドの測定に用いられる。本発明においては、糖ペプチドには糖タンパク質も含まれる。本発明の液体マトリックスは、酸性糖を含む糖ペプチドの測定に用いられることが好ましい。酸性糖としては、硫酸基やカルボキシル基などの酸性基を有する糖であればよく、一例としてシアル酸が挙げられる。例えば、従来のマトリックスを用いてシアル酸を含む糖ペプチドを質量分析する場合、シアル酸が脱落することが通常であるが、本発明の液体マトリックスを用いてシアル酸を含む糖ペプチドを質量分析すると、シアル酸の脱落を抑制することができる。シアル酸以外の酸性糖を含む場合も同様である。
【００１２】
［３．液体マトリックスの調製］
液体マトリックスの調製方法としては特に限定されるものではない。具体的な調製方法としては従来からのイオン液体の調製法に準じることができる。
例えば、もっとも簡便な調製法の一つとしては、イオン液体を構成するアミンイオンの由来元となるアミン類（具体的には３−アミノキノリン）と、酸性基含有物質イオンの由来元となる酸物質（具体的にはｐ−クマル酸）とを混合して反応させる方法が挙げられる。
【００１３】
双方の物質を反応させるためには、ｐ−クマル酸を３−アミノキノリンに加えても良いし、３−アミノキノリンをｐ−クマル酸に加えてもよい。双方の物質の反応は、溶媒中で行うことができる。そのため、３−アミノキノリン及びｐ−クマル酸の少なくとも一方を予め溶液として調製して、ｐ−クマル酸を３−アミノキノリン溶液に加えてもよいし、３−アミノキノリンをｐ−クマル酸溶液に加えてもよい。或いは、溶媒に３−アミノキノリン及びｐ−クマル酸を同時に加えてもよい。
双方の物質の混合は、常温下で行うことができる。
【００１４】
互いに反応させるべき３−アミノキノリンとｐ−クマル酸との比は、特に限定されないが、例えば、３−アミノキノリンとｐ−クマル酸とを、５：１〜２０：１のモル比で混合
することができる。Ｓ／Ｎ比を考慮した場合、７：１〜９：１のモル比で混合することがより好ましい場合がある。
溶媒中どのような濃度で双方の物質を反応させるかについては、当業者が適宜決定すればよい。
【００１５】
溶媒中で反応させた場合は、反応後、溶媒を除去することができる。溶媒の除去は、留去、好ましくは減圧下における留去によって行うことができる。溶媒の除去を行った後、液状の物質をイオン液体として得ることができる。
一方、反応に用いた溶媒を、マトリックス溶媒としても用いることができる場合は、溶媒を除去しなくともよい。
【００１６】
通常試薬として販売されているｐ−クマル酸は、厳密に測定すると純度が９６％程度であることが多い。本発明においては、通常試薬として販売されているｐ−クマル酸を精製するなどにより、９９％以上、好ましくは９９．８％以上の純度を有するものを用いることが、分析感度向上の観点から好ましい。市販のｐ−クマル酸を精製して用いる場合、精製方法としては特に限定されず、当業者が適宜精製方法を選択することができる。例えば、蒸留、再結晶などによって精製を行うことができる。ｐ−クマル酸の純度の測定方法としては、高速液体クロマトグラフィー（ＨＰＬＣ）や、核磁気共鳴（ＮＭＲ）などが挙げられる。
【００１７】
［４．質量分析用スポットの形成］
本発明の液体マトリックスの使用においては、質量分析用プレート上に、液体マトリックスと糖ペプチド又は糖タンパク質とを含む混合溶液の液滴が形成され、溶媒が除去される（蒸発する）ことによって、レーザーが照射されるべき質量分析用スポットが形成される。
【００１８】
液体マトリックスと糖ペプチド又は糖タンパク質とは、最終的に質量分析用プレート上で液滴を形成した時点で混合溶液の態様になっていればよい。液体マトリックスと糖ペプチド又は糖タンパク質とを含む混合溶液の液滴は、プレミックス（pre-mix）法又はオンターゲットミックス（on-target mix）法によって調製することができるが、プレミックス法によって調製されることが好ましい。
プレミックス法は、液体マトリックスと糖ペプチド又は糖タンパク質とを含む混合溶液を予め調製し、その混合溶液を質量分析用プレート上に滴下することによって、混合溶液の液滴を得る方法である。混合溶液は、液体マトリックス溶液と糖ペプチド溶液又は糖タンパク質溶液とを混合することによって得ることができる。それぞれの溶液は、例えば同体積混合することができる。
一方、オンターゲットミックス法は、液体マトリックス溶液と糖ペプチド溶液又は糖タンパク質溶液とを別々に調製し、それぞれを質量分析用プレート上の同じ位置に重ねて滴下することによって、混合溶液の液滴を得る方法である。
【００１９】
溶媒としては、従来より用いられてきた溶媒を特に限定することなく用いることができる。例えば、アセトニトリル、メタノ−ル、エタノ−ルなどの有機溶剤を水中に含む水溶液が用いられうる。この水溶液中の有機溶剤の濃度は、例えば１０〜９０体積％、好ましくは３０〜８０体積％、更に好ましくは３３〜７５体積％、一例として５０体積％である。
【００２０】
液体マトリックスと糖ペプチド又は糖タンパク質との混合溶液の液滴中に含まれる液体マトリックスの量は、例えば、１ｎｍｏｌ〜１０μｍｏｌ／μＬ、好ましくは１０ｎｍｏｌ〜１μｍｏｌ／μＬでありうる。一方、混合溶液の液滴中に含まれる糖ペプチド又は糖タンパク質の量は特に限定されないが、例えば、混合液滴１個あたり１ａｍｏｌ〜１０ｐｍｏｌとなるような量で許容される。
【００２１】
本発明の液体マトリックスには、リン酸アンモニウムを添加剤として用いることが、分析感度向上の観点から好ましい。リン酸アンモニウムは、最終的に液体マトリックスと混合されればよく、例えば上記のマトリックス溶媒に溶解させて用いることができる。リン酸アンモニウムは、液体マトリックスと糖ペプチド又は糖タンパク質との混合溶液の液滴中、０．１ｍＭ〜１００ｍＭ、好ましくは０．１〜１０ｍＭ、一例として１ｍＭの濃度で含まれるように用いられるとよい。
【００２２】
なお、１個の質量分析用スポットを得るために使用する混合溶液の液滴は、０．１〜１０μＬ、例えば１μＬでありうる。
【００２３】
質量分析用プレートとしては、通常ＭＡＬＤＩ質量分析に使用されるステンレス鋼ターゲットプレートなどや、化学的或いは物理的に表面処理がなされたターゲットプレートなど、さまざまなものを使用することができる。好ましくは、混合溶液から溶媒を効率的に除去し且つ良好な液体マトリックス−糖ペプチド（又は液体マトリックス−糖タンパク質）混合質量分析用スポットを得るために、中心部が親水性、辺縁部が疎水性となるように化学的表面処理されたウェルが形成されているものを用いることが好ましい。また、研磨処理や鏡面仕上げなど、処理プレート表面の表面粗さを所望の程度にする物理的表面処理がなされたものを用いることが好ましい。
【００２４】
本発明の液体マトリックスを用いて使用される質量分析装置としては、MALDIイオン源と組み合わされたものであれば特に限定されない。例えば、MALDI-IT（マトリックス支援レーザー脱離イオン化−イオントラップ）型質量分析装置、MALDI-TOF(マトリックス支援レ−ザ−脱離イオン化-飛行時間)型質量分析装置、MALDI-IT-TOF（マトリックス支援レーザー脱離イオン化−イオントラップ−飛行時間）型質量分析装置、MALDI-QIT-TOF(マトリックス支援レ−ザ−脱離イオン化-四重極イオントラップ-飛行時間)型質量分析装置、MALDI-FTICR（マトリックス支援レーザー脱離イオン化−フーリエ変換イオンサイクロトロン共鳴）型質量分析装置などが挙げられる。
【実施例】
【００２５】
以下に実施例を示し、本発明を具体的に説明するが、本発明は下記の実施例に制限されるものではない。
実施例においては、実験例１〜３において調製された液体マトリックスを用いた。実験例１では、リン酸アンモニウム不含且つ未精製ｐ−クマル酸（ＣＡ）使用の３−ＡＱ／ＣＡを調製し、実験例２では、リン酸アンモニウム含有且つ未精製ｐ−クマル酸（ＣＡ）の３−ＡＱ／ＣＡを調製し、実験例３では、リン酸アンモニウム含有且つ精製クマル酸（ｐＣＡ）使用の３−ＡＱ／ｐＣＡを調製した。
【００２６】
［実験例１：３−ＡＱ／ＣＡ溶液の調製］
３−アミノキノリン(3-AQ) 100nmol/μLを50(v/v)%アセトニトリル(ACN)水溶液中に含む3-AQ溶液と、ｐ−クマル酸(CA) 100nmol/μLを50(v/v)%アセトニトリル(ACN)水溶液中に含むCA溶液とを混合することによって、3-AQ/CA溶液を調製した。あるいは、３−アミノキノリン(3-AQ) 100nmol/μLを100%メタノ−ル(MeOH)中に含む3-AQ溶液と、ｐ−クマル酸(CA) 100nmol/μLを100%メタノ−ル(MeOH)中に含むCA溶液とを混合後、メタノ−ルを揮発させ、50(v/v)%アセトニトリル(ACN)水溶液中に溶解することによって、3-AQ/CA溶液を調製した。
なお、CAは、純度表示「>98%」（シグマ−アルドリッチ）のものを用いた（実際に純度を測定した結果、純度は96%であった）。
3-AQ溶液とCA溶液との混合比は、例えば1：1、3：1、又は9：1 (v/v)であった。            
【００２７】
上記調製法のほかに、3-AQをCAと例えば1：1、3：1、又は9：1（mol/mol）で混合し、50(v/v)%アセトニトリル(ACN)水溶液中に溶解させることによって3-AQ/CA溶液を調製してもよい。
【００２８】
【化１】
0005673367.tif 000002
【００２９】
［実験例２：３−ＡＱ／ＣＡ溶液（リン酸アンモニウム含有）の調製］
３−アミノキノリン(3-AQ) 100nmol/μL及びリン酸アンモニウム 2mMを50(v/v)%アセトニトリル(ACN)水溶液中に含む3-AQ溶液と、ｐ−クマル酸(CA) 100nmol/μL及びリン酸アンモニウム 2mMを50(v/v)%アセトニトリル(ACN)水溶液中に含むCA溶液とを混合することによって、3-AQ/CA溶液（リン酸アンモニウム含有）を調製した。あるいは、３−アミノキノリン(3-AQ) 100nmol/μLを100%メタノ−ル(MeOH)中に含む3-AQ溶液と、ｐ−クマル酸(CA) 100nmol/μLを100%メタノ−ル(MeOH)中に含むCA溶液とを混合後、メタノ−ルを揮発させ、リン酸アンモニウム 2mMを含む50(v/v)%アセトニトリル(ACN)水溶液中に溶解することによって、3-AQ/CA溶液（リン酸アンモニウム含有）を調製した。
【００３０】
なお、CAは、純度表示「>98%」（シグマ−アルドリッチ）のものを用いた（実際に純度を測定した結果、純度は96%であった）。
3-AQ溶液とCA溶液との混合比は、例えば5：1、6：1、7：1、8：1、9：1、12：1、15：1、又は20：1 (v/v)であった。
【００３１】
上記調製法のほかに、3-AQをCAと例えば5：1、6：1、7：1、8：1、9：1、12：1、15：1、又は20：1 (mol/mol)で混合し、リン酸アンモニウム 2mM 含有50(v/v)%アセトニトリル(ACN)水溶液中に溶解させることによって3-AQ/CA溶液（リン酸アンモニウム含有）を調製してもよい。
【００３２】
［実験例３：３−ＡＱ／ｐＣＡ（リン酸アンモニウム含有、精製ＣＡ使用）溶液の調製］
３−アミノキノリン(3-AQ) 100nmol/μL及びリン酸アンモニウム 2mMを50(v/v)%アセトニトリル(ACN)水溶液中に含む3-AQ溶液と、精製ｐ−クマル酸(pCA) 100nmol/μL及びリン酸アンモニウム 2mMを50(v/v)%アセトニトリル(ACN)水溶液中に含むpCA溶液とを混合することによって、3-AQ/pCA溶液（リン酸アンモニウム含有、精製CA使用）を調製した。
なお、pCAは、株式会社同仁化学研究所又は株式会社ナード研究所によって精製されたものを用いた（純度は９９％以上、例えば９９．８％以上であった）。
3-AQ溶液とpCA溶液との混合比は、例えば9：1（v/v）であった。
【００３３】
上記調製法のほかに、3-AQをpCAと例えば9：1（mol/mol）で混合し、リン酸アンモニウム 2mM 含有50(v/v)%アセトニトリル(ACN)水溶液中に溶解させることによって3-AQ/pCA溶液（リン酸アンモニウム含有、精製ＣＡ使用）を調製してもよい。
【００３４】
［参考例１：従来の液体マトリックス（３−ＡＱ／ＣＨＣＡ等）溶液の調製］
（３−ＡＱ／ＣＨＣＡ）
10 mg のα−シアノ−４−ヒドロキシケイ皮酸（CHCA）（再結晶、LaserBio labs）を、20mMリン酸アンモニウムを含有するアセトニトリル50(v/v)%水溶液600μLに溶解させ、CHCA溶液を得た。20mgの３−アミノキノリン（3-AQ）（≧99.0%、Fluka）をCHCA溶液150μLに溶解させ、さらに10倍希釈することによって、3-AQ/CHCA溶液を得た。
【００３５】
（ＤＨＢＢ、ＣＨＣＡＢ、Ｇ２ＣＨＣＡ、Ｇ３ＣＡ、ＧＣＡ、ＩＭＴＢＡ／ＤＨＢ、及びＤＩＥＡ／ＤＨＢ）
DHBB（n-butylamine/DHB）、CHCAB (Fluka, 67336)（n-butylamine/CHCA）、G2CHCA（1,1,3,3-tetramethyl guanidine(TMG)/CHCA）、G3CA（TMG/ p-coumaric acid）、GCA、（TMG/ p-coumaric acid）、IMTBA/DHB（N-isopropyl-N-methyl-tertbutylamine/
DHB）、及びDIEA/DHB（N,N-diisopropylethylamine/DHB）については、市販のものを用いるか、上記３−ＡＱ／ＣＨＣＡ、３−ＡＱ／ＣＡ又は３−ＡＱ／ｐＣＡの調製法に準じるか、或いは次の文献：Mank, M.; Stahl, B.; Boehm, G. Anal. Chem. 2004, 76, 2938-2950.（DHBB及びCHCABの場合）、Laremore, T. N.; Murugesan, S.; Park, T.-J.; Avci, F. Y.; Zagorevski, D. V.; Linhardt, R. J. Anal. Chem. 2006, 78, 1774-1779.（G2CHCAの場合）、Fukuyama, Y.; Nakaya, S.; Yamazaki, Y.; Tanaka, K. Anal. Chem. 2008, 80, 2171-2179.（G3CA及びGCAの場合）、及びCrank, J. A.; Armstrong, D. W. J. Am. Soc. Mass Spectrom. 2009, 20, 1790-1800.（IMTBA/DHB及びDIEA/DHBの場合）を参考にすることにより、適宜液体マトリックス溶液を調製した。
【００３６】
［参考例２：ＤＨＢ溶液の調製］
（600μm μFocus MALDI plateTM （Hudson Surface Technology, Inc. USA）用）
1mgの２，５−ジヒドロキシ安息香酸（DHB）（再結晶、LaserBio labs）をアセトニトリル50(v/v)%水溶液1mLに溶解させた。このようにして得られたDHB溶液は、測定に用いられた際、予めGP1溶液と混合し、その後、混合溶液を600μm μFocus MALDI plateTM上に滴下した（pre-mix法）。
【００３７】
（sample plate 2.8mm ring×384 wellTM（SUS plate, 島津製作所）用）
10 mgの２，５−ジヒドロキシ安息香酸（DHB）をアセトニトリル50(v/v)%水溶液1mLに溶解させた。このようにして得られたDHB溶液は、測定に用いられた際、GP1溶液と混合されることなく、GP1溶液とは別々にsample plate 2.8mm ring×384 wellTM上の同じウェルに滴下された。両溶液は、プレート上（ウェル内）で互いに混合されることにより混合溶液となった（on-target mix法）。
【００３８】
［参考例３：従来の液体マトリックス及びＤＨＢを用いた糖ペプチド分析］
参考例１の液体マトリックス溶液及び参考例２の固体マトリックス（DHB）溶液を用いて、トランスフェリンから単離された糖ペプチドGP1（モノアイソトピック質量:3680.5）の質量分析を行った。図１に、GP1の構造を模式的に示す。
【００３９】
2a〜200fmol/μLの糖ペプチドGP1を30(v/v)%アセトニトリル(ACN)−0.05(v/v)%トリフルオロ酢酸(TFA)水溶液中に含むGP1溶液を、前記ACN-TFA水溶液を用いた段階希釈により調製した。
参考例１で得られた液体マトリックス溶液及び参考例２で得られたDHB溶液のそれぞれと、上記GP1溶液とを、1：1(v/v)で混合し、混合溶液を得た（pre-mix法）。
上記混合溶液を、MALDI濃縮プレート（μFocus MALDI plate TM 600μm (Hudson Surface Technology, Inc. USA)）上のそれぞれのウェル（well）に1μLずつ滴下した。
AXIMA Resonance（Shimadzu/Kratos, UK）のhigh massモード、ポジティブ（positive）及びネガティブ（negative）モードで計測を行った。
【００４０】
なお、液体マトリックスを使用した例においては、液体マトリックス−GP1混合溶液中のリン酸アンモニウムの濃度は、1mMであった。
【００４１】
ＭＳ計測の結果得られたGP1の検出限界を下記表に示す。表に示された中では、液体マトリックス3-AQ/CHCAを用いた場合が最も高感度の測定が可能であることが確認された。さらに、3-AQ/CHCAを用いた場合のGP1の多段階質量分析結果（ポジティブモード）を図２に示す。これらの結果が示すように、従来、ペプチド用マトリックスとして知られていた3-AQ/CHCAは、この参考例の条件下において使用されることによって、糖ペプチドの高感度測定が可能であること、及び、ＭＳで高感度測定が可能であれば多段階ＭＳの高感度測定（すなわち糖鎖配列及びペプチド配列の同定）も可能であることが確認された。
【００４２】
【表１】
0005673367.tif 000003
【００４３】
［実施例１：３−ＡＱ／ＣＡ（リン酸アンモニウム不含）を用いた糖ペプチド分析］（本発明の範囲外）
実験例１で調製された液体マトリックス（3-AQ/CA（リン酸アンモニウム不含））溶液を用いて、トランスフェリンから単離された糖ペプチドGP1（図１、モノアイソトピック質量:3680.5）の質量分析を行った。
【００４４】
2a〜200fmol/μLの糖ペプチドGP1を30(v/v)%アセトニトリル(ACN)−0.05(v/v)%トリフルオロ酢酸(TFA)水溶液中に含むGP1溶液を、前記ACN-TFA水溶液を用いた段階希釈により調製した。
実験例１で得られた3-AQ/CA溶液（3-AQとCAとの比が1：1、3；1、及び9：1であるもの）それぞれと、上記GP1溶液とを、1：1(v/v)で混合し、混合溶液を得た（pre-mix法）。
上記混合溶液を、MALDI濃縮プレート（μFocus MALDI plate TM 600μm (Hudson Surface Technology, Inc. USA)）上のそれぞれのウェル（well）に1μLずつ滴下した。
AXIMA Resonance（Shimadzu/Kratos, UK）のhigh massモード、ポジティブ（positive）及びネガティブ（negative）モードで計測を行った。
【００４５】
計測の結果得られた3-AQ/CAの使用によるGP1の検出限界を下記表に示す。表に示されるように、本発明の液体マトリックス3-AQ/CHCAが、糖ペプチド検出用マトリックスとして有用な感度を達成したことが確認された。なお、S/N比を考慮した場合、3-AQとCAとの比が9：1である場合が、ポジティブ及びネガティブの両モードにおいて最も高感度であった。
【００４６】
【表２】
0005673367.tif 000004
【００４７】
さらに、本発明の液体マトリックスによる計測の結果得られたマススペクトル（ポジティブモード及びネガティブモード）を、DHBを用いた場合と比較して図３に示す。図３に示されるように、本発明の液体マトリックス3-AQ/CAは、シアロ糖脱離を抑制する効果を明確に示した。
【００４８】
［実施例２：３−ＡＱ／ＣＡ（リン酸アンモニウム含有）を用いた糖ペプチド分析］（本発明の範囲外）
実験例２で調製された液体マトリックス（3-AQ/CA（リン酸アンモニウム含有））溶液を用いて、実施例１と同様の操作を行うことによって、トランスフェリンから単離された糖ペプチドGP1（図１、モノアイソトピック質量:3680.5）の質量分析を行った。
なお、本実施例において得られた3-AQ/CA溶液とGP1溶液との混合溶液中のリン酸アンモニウム濃度は、1mMであった。
【００４９】
計測の結果得られた3-AQ/CA（リン酸アンモニウム含有）の使用によるGP1の検出限界を下記表に示す。表に示されるように、本発明の液体マトリックス3-AQ/CAは、リン酸アンモニウムを添加剤として併用することにより、添加剤をしない場合に比べてより高感度に糖ペプチドを検出できることが確認された。なお、S/N比を考慮した場合、3-AQとCAとの比が7：1〜9：1である場合が、ポジティブ及びネガティブの両モードにおいてとりわけ好適であった。
【００５０】
【表３】
0005673367.tif 000005
【００５１】
また、GP1の検出限界について、上記の3-AQとCAとの比が9：1である態様を、参考例１の従来の液体マトリックス3-AQ/CHCA（リン酸アンモニウム使用）を使用した態様と参考例２の固体マトリックスDHBを使用した態様（いずれも参考例３に相当）と比較して下記表に示す。
【００５２】
【表４】
0005673367.tif 000006
【００５３】
また、本実施例においても、実施例１と同様に本発明の液体マトリックスによるシアロ糖脱離抑制効果を確認した。すなわち、本発明の液体マトリックスを用いた測定によると、DHBを用いた場合に比べ、シアロ糖の脱離を抑制する効果が明確に示された。なお3-AQ/CHCAを用いた場合は、DHBと同様にシアロ糖脱離が起こった。あるいはシアロ糖脱離が若干抑制される現象が確認される場合もあったが、本発明のマトリックスを用いた場合ほどの明確なシアロ糖脱離抑制効果はなかった。
【００５４】
なお、本発明の液体マトリックス3-AQ/CAは、3-AQ/CHCAと同等の高感度測定が可能であることから、参考例３と同様に、多段階ＭＳの高感度測定も可能である。
【００５５】
［実施例３：３−ＡＱ／ｐＣＡ（リン酸アンモニウム含有、精製ＣＡ使用）を用いた糖ペプチド分析］
実験例３で調製された本発明の液体マトリックス３−ＡＱ／ｐＣＡ（リン酸アンモニウム含有、精製ＣＡ使用）溶液を用いて、実施例２と同様の操作を行うことによって、トランスフェリンから単離された糖ペプチドGP1（図１、モノアイソトピック質量:3680.5）の質量分析を行った。
【００５６】
計測の結果得られた3-AQ/pCA（リン酸アンモニウム含有、精製ＣＡ使用）の使用によるGP1の検出限界を下記表に示す。下記表においては、3-AQ/CA（リン酸アンモニウム含有、未精製ＣＡ使用）を使用した実施例２の態様と、DHBを使用した態様と比較して示した。
表に示されるように、本発明の液体マトリックスは、その調製の際に精製したＣＡを使用することで、ポジティブ及びネガティブの両モードにおいて、従来のマトリックスより高感度の糖ペプチド検出を可能にしたことが確認された。
【００５７】
【表５】
0005673367.tif 000007
【００５８】
さらに、3-AQ/pCAを用いた計測の結果得られたマススペクトルを図４（GP1が10amolである場合；ネガティブモード）及び図５（GP1が10fmolである場合；ポジティブモード及びネガティブモード）に示す。図５については、DHBをマトリックスに用いた場合と比較して示した。
図４及び図５が示すように、本実施例においても、実施例１及び２と同様、本発明の液体マトリックスによるシアロ糖鎖（Sia）脱離抑制効果が確認された。
【００５９】
なお、本発明の液体マトリックス3-AQ/pCA（精製CA使用）は、3-AQ/CHCAより高感度測定が可能であることから、参考例３よりも高感度に多段階ＭＳの測定が可能である。
【図３】
0005673367.tif 000008
【図４】
0005673367.tif 000009
【図５】
0005673367.tif 000010
【図１】
0005673367.tif 000011
【図２】
0005673367.tif 000012
【配列表】
0005673367000001.app